(57)【要約】      （修正有）【課題】コンピュータの使用者に負荷を掛けることなく、コンピュータ内のデータの安全を確保できるようにすること。【解決手段】携帯端末と無線通信可能なコンピュータであって、携帯端末が無線通信可能範囲内にあることにより、この携帯端末と無線通信をしているとき、データを、復号化・可視化状態にする機能と、携帯端末が無線通信可能範囲外にあることにより、この携帯端末と無線通信をしていないとき、データを、暗号化・不可視化状態にする機能とを有することを特徴とするデータ安全確保システム。【選択図】図１
2007133812.tif 000002
【特許請求の範囲】
【請求項１】
携帯端末と無線通信可能なコンピュータであって、
携帯端末が無線通信可能範囲内にあることにより、この携帯端末と無線通信をしているとき、データを、復号化・可視化状態にする機能と、
携帯端末が無線通信可能範囲外にあることにより、この携帯端末と無線通信をしていないとき、データを、暗号化・不可視化状態にする機能とを有することを特徴とするデータ安全確保システム。
【請求項２】
上記携帯端末が、携帯電話機であり、
上記無線通信が、Ｂｌｕｅｔｏｏｔｈによるものであることを特徴とする請求項１に記載のデータ安全確保システム。
【請求項３】
携帯端末と無線通信可能なコンピュータが実行する方法であって、
携帯端末が無線通信可能範囲内にあることにより、この携帯端末と無線通信をしているとき、データを、復号化・可視化状態にする工程と、
携帯端末が無線通信可能範囲外にあることにより、この携帯端末と無線通信をしていないとき、データを、暗号化・不可視化状態にする工程とを含むことを特徴とするデータ安全確保方法。
【請求項４】
上記携帯端末が、携帯電話機であり、
上記無線通信が、Ｂｌｕｅｔｏｏｔｈによるものであることを特徴とする請求項３に記載のデータ安全確保方法。
【請求項５】
携帯端末と無線通信可能なコンピュータに、
携帯端末が無線通信可能範囲内にあることにより、この携帯端末と無線通信をしているとき、データを、復号化・可視化状態にする工程と、
携帯端末が無線通信可能範囲外にあることにより、この携帯端末と無線通信をしていないとき、データを、暗号化・不可視化状態にする工程とを実行させることを特徴とするデータ安全確保プログラム。
【請求項６】
上記携帯端末が、携帯電話機であり、
上記無線通信が、Ｂｌｕｅｔｏｏｔｈによるものであることを特徴とする請求項５に記載のデータ安全確保プログラム。
【請求項７】
コンピュータと無線通信可能な携帯端末であって、
携帯端末が無線通信可能範囲内にあることにより、このコンピュータと無線通信をしているとき、このコンピュータに、データを復号化・可視化状態にさせ、
携帯端末が無線通信可能範囲外にあることにより、このコンピュータと無線通信をしていないとき、このコンピュータに、データを暗号化・不可視化状態にさせることを特徴とする携帯端末。
【請求項８】
上記携帯端末が、携帯電話機であり、
上記無線通信が、Ｂｌｕｅｔｏｏｔｈによるものであることを特徴とする請求項７に記載の携帯端末。
【発明の詳細な説明】
【技術分野】
【０００１】
本発明は、データの安全を確保する技術に関する。
【背景技術】
【０００２】
従来から、ＵＳＢメモリをキーとして、コンピュータ内のデータの暗号化・不可視化、複合化・可視化を制御して、データの安全を確保する方法がある。この方法では、ＵＳＢメモリをコンピュータ接続状態から切り離すと、コンピュータ内のデータの暗号化・不可視化が自動的に行われ、逆に、ＵＳＢメモリをコンピュータに接続すると、コンピュータ内のデータの複合化・可視化が自動的に行われる。
【０００３】
しかしながら、データの暗号化・不可視化のために、ＵＳＢメモリをコンピュータ接続状態から切り離す作業は、手動で行う必要があり、急に席を離れるといった状況では対応が困難である。また、データの復号化・可視化のために、ＵＳＢメモリをコンピュータに接続する作業も、手動で行う必要があり、面倒が伴う。
【発明の開示】
【発明が解決しようとする課題】
【０００４】
本発明は斯かる背景技術に鑑みてなされたもので、コンピュータの使用者に負荷を掛けることなく、コンピュータ内のデータの安全を確保できるようにすることを課題とする。
【課題を解決するための手段】
【０００５】
本発明において上記課題を達成するために、まず請求項１の発明では、
携帯端末と無線通信可能なコンピュータであって、
携帯端末が無線通信可能範囲内にあることにより、この携帯端末と無線通信をしているとき、データを、復号化・可視化状態にする機能と、
携帯端末が無線通信可能範囲外にあることにより、この携帯端末と無線通信をしていないとき、データを、暗号化・不可視化状態にする機能とを有することを特徴とするデータ安全確保システムとしたものである。
【０００６】
また請求項２の発明では、
上記携帯端末が、携帯電話機であり、
上記無線通信が、Ｂｌｕｅｔｏｏｔｈによるものであることを特徴とする請求項１に記載のデータ安全確保システムとしたものである。
【０００７】
また請求項３の発明では、
携帯端末と無線通信可能なコンピュータが実行する方法であって、
携帯端末が無線通信可能範囲内にあることにより、この携帯端末と無線通信をしているとき、データを、復号化・可視化状態にする工程と、
携帯端末が無線通信可能範囲外にあることにより、この携帯端末と無線通信をしていないとき、データを、暗号化・不可視化状態にする工程とを含むことを特徴とするデータ安全確保方法としたものである。
【０００８】
また請求項４の発明では、
上記携帯端末が、携帯電話機であり、
上記無線通信が、Ｂｌｕｅｔｏｏｔｈによるものであることを特徴とする請求項３に記載のデータ安全確保方法としたものである。
【０００９】
また請求項５の発明では、
携帯端末と無線通信可能なコンピュータに、
携帯端末が無線通信可能範囲内にあることにより、この携帯端末と無線通信をしているとき、データを、復号化・可視化状態にする工程と、
携帯端末が無線通信可能範囲外にあることにより、この携帯端末と無線通信をしていないとき、データを、暗号化・不可視化状態にする工程とを実行させることを特徴とするデータ安全確保プログラムとしたものである。
【００１０】
また請求項６の発明では、
上記携帯端末が、携帯電話機であり、
上記無線通信が、Ｂｌｕｅｔｏｏｔｈによるものであることを特徴とする請求項５に記載のデータ安全確保プログラムとしたものである。
【００１１】
また請求項７の発明では、
コンピュータと無線通信可能な携帯端末であって、
携帯端末が無線通信可能範囲内にあることにより、このコンピュータと無線通信をしているとき、このコンピュータに、データを復号化・可視化状態にさせ、
携帯端末が無線通信可能範囲外にあることにより、このコンピュータと無線通信をしていないとき、このコンピュータに、データを暗号化・不可視化状態にさせることを特徴とする携帯端末としたものである。
【００１２】
また請求項８の発明では、
上記携帯端末が、携帯電話機であり、
上記無線通信が、Ｂｌｕｅｔｏｏｔｈによるものであることを特徴とする請求項７に記載の携帯端末としたものである。
【発明の効果】
【００１３】
請求項１、３、５、及び７の発明では、コンピュータの使用者が、携帯端末を所持しているだけで、コンピュータの傍に居れば、自動的に、データの復号化・可視化がなされ、逆に、コンピュータの傍から離れれば、自動的に、データの暗号化・不可視化がなされるので、コンピュータの使用者が意識せず、手作業を行わないで、コンピュータ内のデータを暗号化・不可視化、復号化・可視化できるため、手軽に、しかも作業時間を全く必要とせずに、データの安全を確保できるという効果がある。
【００１４】
また請求項２、４、６、及び８の発明では、携帯端末に携帯電話機を用い、そして、無線通信にＢｌｕｅｔｏｏｔｈを用いるので、既存の機器と技術を使うことになり、設備コストを低く抑えることができ、また、一般に普段から所持している携帯電話機を携帯端末に用いるので、携帯電話機とは別に専用の携帯端末を持ち歩く必要が無いという効果がある。
【００１５】
以上、本発明は、コンピュータの使用者に負荷を掛けることなく、コンピュータ内のデータの安全を確保できるという効果がある。
【発明を実施するための最良の形態】
【００１６】
以下に、本発明の最良の一実施形態を説明する。
【００１７】
１．構成
本実施形態では、以下のようなコンピュータが使用され、このコンピュータの使用者が、以下のような携帯電話機を所持する。
【００１８】
本実施形態で使用されるコンピュータは、Ｂｌｕｅｔｏｏｔｈ内蔵コンピュータ、或は、Ｂｌｕｅｔｏｏｔｈを内蔵していないが、Ｂｌｕｅｔｏｏｔｈ通信ユニットが接続されているコンピュータであって、
このコンピュータにＢｌｕｅｔｏｏｔｈ通信可能な携帯電話機が登録されるＢｌｕｅｔｏｏｔｈ通信設定機能と、
このコンピュータにＢｌｕｅｔｏｏｔｈ通信可能として登録されている携帯電話機で、このコンピュータが、この携帯電話機にＢｌｕｅｔｏｏｔｈ通信可能として登録されている場合に、このコンピュータと、この携帯電話機とが、Ｂｌｕｅｔｏｏｔｈ通信可能範囲内にあるならば、常にＢｌｕｅｔｏｏｔｈ通信するＢｌｕｅｔｏｏｔｈ通信機能と、
このコンピュータ内の暗号化・不可視化したいデータが設定される暗号化・不可視化データ設定機能と、
このコンピュータにＢｌｕｅｔｏｏｔｈ通信可能として登録されている携帯電話機と、Ｂｌｕｅｔｏｏｔｈ通信しているとき、暗号化・不可視化したいとして設定されているデータを、復号化・可視化状態にする復号化・可視化機能と、
このコンピュータにＢｌｕｅｔｏｏｔｈ通信可能として登録されている携帯電話機と、Ｂｌｕｅｔｏｏｔｈ通信していないとき、暗号化・不可視化したいとして設定されているデータを、暗号化・不可視化状態にする暗号化・不可視化機能とを有する。
【００１９】
本実施形態で使用されるコンピュータの使用者が所持する携帯電話機は、Ｂｌｕｅｔｏｏｔｈ内蔵携帯電話機、或は、Ｂｌｕｅｔｏｏｔｈを内蔵していないが、Ｂｌｕｅｔｏｏｔｈ通信ユニットが接続されている携帯電話機であって、
この携帯電話機にＢｌｕｅｔｏｏｔｈ通信可能なコンピュータが登録されるＢｌｕｅｔｏｏｔｈ通信設定機能と、
この携帯電話機にＢｌｕｅｔｏｏｔｈ通信可能として登録されているコンピュータで、この携帯電話機が、このコンピュータにＢｌｕｅｔｏｏｔｈ通信可能として登録されている場合、この携帯電話機と、このコンピュータとが、Ｂｌｕｅｔｏｏｔｈ通信可能範囲にあるならば、常にＢｌｕｅｔｏｏｔｈ通信するＢｌｕｅｔｏｏｔｈ通信機能とを有する。
【００２０】
２．処理
以上のようなコンピュータを使用し、このコンピュータの使用者が、以上のような携帯電話機を所持することにより、このコンピュータ内のデータの安全を確保するために行われる処理の流れの例を、以下のＳＴＥＰ１〜８の順に説明する。
【００２１】
ＳＴＥＰ１；
コンピュータの使用者は、このコンピュータを、自分の所持する携帯電話機に、Ｂｌｕｅｔｏｏｔｈ通信可能なコンピュータとして、登録する。
【００２２】
ＳＴＥＰ２；
コンピュータの使用者は、このコンピュータに、自分の所持する携帯電話機を、Ｂｌｕｅｔｏｏｔｈ通信可能な携帯電話機として、登録する。
ＳＴＥＰ３；
コンピュータの使用者は、このコンピュータに、このコンピュータ内のデータで、暗号化・不可視化したいものを設定する。
【００２３】
ＳＴＥＰ４；
上記設定を行った時点では、携帯電話機とコンピュータとはＢｌｕｅｔｏｏｔｈ通信可能範囲内にあるので、コンピュータと携帯電話機とのＢｌｕｅｔｏｏｔｈ通信が確保されることにより、コンピュータは、このコンピュータの使用者が、そのＢｌｕｅｔｏｏｔｈ通信可能範囲内にいると判断し、暗号化・不可視化したいとして設定されているデータを
、復号化・可視化状態にする。
【００２４】
ＳＴＥＰ５；
コンピュータの使用者が、携帯電話機を所持したまま、コンピュータと携帯電話機とのＢｌｕｅｔｏｏｔｈ通信可能範囲を越えて、このコンピュータから離れる（図１参照）。
【００２５】
ＳＴＥＰ６；
コンピュータと携帯電話機とのＢｌｕｅｔｏｏｔｈ通信が途切れることにより、コンピュータは、このコンピュータの使用者が、Ｂｌｕｅｔｏｏｔｈ通信可能範囲を越えて離れたと判断し、暗号化・不可視化したいとして設定されているデータを、暗号化・不可視化状態にする。
【００２６】
ＳＴＥＰ７；
コンピュータの使用者が、携帯電話機を所持したまま、コンピュータと携帯電話機とのＢｌｕｅｔｏｏｔｈ通信可能範囲内まで近付く。
【００２７】
ＳＴＥＰ８；
コンピュータと携帯電話機とのＢｌｕｅｔｏｏｔｈ通信が確保されることにより、コンピュータは、このコンピュータの使用者が、Ｂｌｕｅｔｏｏｔｈ通信可能範囲内にいると判断し、暗号化・不可視化したいとして設定されているデータを、復号化・可視化する。
【図面の簡単な説明】
【００２８】
【図１】Ｂｌｕｅｔｏｏｔｈ通信可能範囲を越えているコンピュータと携帯電話機とを示す図。
【図２】Ｂｌｕｅｔｏｏｔｈ通信可能範囲内にあるコンピュータと携帯電話機とを示す図。
【図１】
2007133812.tif 000003
【図２】
2007133812.tif 000004